【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
感熱物質転写画像化方法であって、該方法は、以下：
少なくとも１種類の染料を含む染料含有の非晶質相を含む感熱転写物質層を有する基材を含む供与体要素を加熱する工程であって、該染料が連続状フィルムを形成し、少なくとも１つの感熱溶媒が、約５０℃超の融点を有し、該感熱溶媒の少なくとも一部分は別の結晶相を形成し、そしてここで該結晶性感熱溶媒は、溶融時に、該転写が該結晶性感熱溶媒の存在なしでもたらされ得る温度より低い温度で該染料含有相中の該染料を受容体層に転写させ得る工程、および
該転写物質層の一部分を該受容体層に画像様に転写する工程、
を包含する、方法。
【請求項２】
前記感熱転写物質層が、異なる融点を有する２種類の異なる感熱溶媒を含み、該感熱溶媒は、より高い融点を有する感熱溶媒よりも、より少ない染料を転写させる低い融点を有する、請求項１に記載の感熱画像化方法。
【請求項３】
前記感熱溶媒が、約６０℃から約１２０℃の範囲の融点を有する、請求項１に記載の感熱画像化方法。
【請求項４】
前記感熱溶媒が、約９０℃の融点を有する、請求項１に記載の感熱画像化方法。
【請求項５】
前記感熱溶媒が、前記染料含有相の中に前記染料の重量で約１：３から約３：１の量で存在する、請求項１に記載の感熱画像化方法。
【請求項６】
前記感熱溶媒が、少なくとも約１２個の炭素原子を含むアルカノール、少なくとも約１２個の炭素原子を含むアルカンジオール、少なくとも約１２個の炭素原子を含むモノ−及びジカルボン酸のエステル及びアミド、アリールスルホンアミド並びにヒドロキシアルキル置換アレーンからなる群から選ばれる、請求項１に記載の感熱画像化方法。
【請求項７】
前記感熱溶媒が、以下：
１，１０−デカンジオール；１，１２−ドデカンジオール；１，１２−ドデカン二酸、ビス（ジメチルアミド）；１，１４−テトラデカン二酸、ビス（ジメチルアミド）；１，１６−ヘキサデカン二酸、ビス（ジメチルアミド）；ｎ−ヘキサデカン−１−イルアセトアミド；ｎ−デカン−１−イル−４−メトキシベンズアミド；ｎ−デカン−１−イル−４−クロロベンズアミド；ｎ−（ドデカン−１−イル−アミノカルボニル）モルホリン；ドデカン−１−イル−ニコチンアミド；ｎ−デカン−１−イル−４−ニトロベンズアミド；カルバミン酸、１，４−ブタンジイル−ビス−ジエチルエステル；およびｎ−ドデシル−４−メトキシベンズアミドからなる群から選ばれる、請求項１に記載の感熱画像化方法。
【請求項８】
前記受容体層がミクロ細孔性であり、約１μｍ以下の平均細孔径を有し、そしてここで前記結晶性感熱溶媒の融点での前記感熱転写物質の粘度が、前記受容体層に転写される実質的に全ての該感熱転写物質を細孔に入れることが出来るほど充分に低い、請求項１に記載の感熱画像化方法。
【請求項９】
前記感熱転写物質層が、約２μｍ以下の厚さを有する、請求項１に記載の感熱画像化方法。
【請求項１０】
前記感熱転写層が約１μｍ以下の厚さを有する、請求項９に記載の感熱画像化方法。
【請求項１１】
前記受容体層がミクロ細孔性であり、約１μｍ以下の平均細孔径を有する、請求項１に記載の感熱画像化方法。
【請求項１２】
前記受容体層が約０．５μｍ以下の平均細孔径を有する、請求項１１に記載の感熱画像化方法。
【請求項１３】
前記感熱転写物質層又は該物質層に熱的に接触する層のうちの少なくとも１つが放射線吸収物質を含み、該感熱転写物質層の加熱が、該放射線吸収物質を含む層を該放射線吸収物質によって吸収される放射線に画像様に曝露することによって行なわれる、請求項１に記載の感熱画像化方法。
【請求項１４】
前記感熱転写物質層の前記染料含有相が約６０℃超のガラス転移温度を有する、請求項１に記載の感熱画像化方法。
【請求項１５】
多色感熱物質転写画像化方法であって、該方法は、以下：
少なくとも２個の供与体要素を順次に加熱する工程であって、該供与体要素の各々は、少なくとも１種類の染料を含む染料含有非晶質相を含む感熱転写物質層を有する基材を含み、ここで各該供与体要素の該染料は連続状フィルムを形成し、そして少なくとも１つの感熱溶媒が、約５０℃超の融点を有し、該感熱溶媒の少なくとも一部分は別の結晶相を形成し、そしてここで該結晶性感熱溶媒は、溶融時に、該転写が該結晶性感熱溶媒の存在なしでもたらされ得る温度より低い温度で該染料含有相中の該染料を受容体層に転写させ得、そして
各該供与体要素の感熱転写物質層は異なる色である、工程、ならびに
各該供与体要素の感熱転写物質層の各部分を、位置合わせして、順次に受容体要素へ画像様に転写をする工程、
を包含し、それにより多色画像が形成される、方法。
【請求項１６】
少なくとも３個の供与体要素が順次に加熱され、各該３個の供与体要素の感熱転写物質層は各々、シアン、マゼンタ及びイエローに着色される、請求項１５に記載の多色感熱物質転写画像化方法。
【請求項１７】
各前記供与体の感熱転写物質が異なる溶融粘度を有し、そしてここで各該供与体要素の転写物質層の一部分が、該粘度の逆順で順次に受容体要素へ画像様に転写される、請求項１６に記載の多色感熱物質転写画像化方法。
【請求項１８】
感熱転写画像化の際に使用する供与体要素であって、該供与体要素が少なくとも１種類の染料を含む染料含有非晶質相を含む固形物感熱転写物質層を有する基材を含み、ここで該染料が連続状フィルムを形成し、そして少なくとも１つの感熱溶媒が、約５０℃超の融点を有し、該感熱溶媒の少なくとも一部分は別の結晶相を形成し、そしてここで該結晶性感熱溶媒は、溶融時に、該転写が該結晶性感熱溶媒の存在なしでもたらされ得る温度より低い温度で該染料含有相中の該染料を受容体層に転写させ得る、
供与体要素。
【請求項１９】
前記感熱転写物質層が約２μｍ以下の厚さを有する、請求項１８に記載の供与体要素。
【請求項２０】
前記感熱転写物質層が約１μｍ以下の厚さを有する、請求項１９に記載の供与体要素。
【請求項２１】
前記感熱転写物質層の前記染料含有相が約６０℃超のガラス転移温度を有する、請求項１８に記載の供与体要素。
【請求項２２】
前記感熱転写物質層が、異なる融点を有する２種類の異なる感熱溶媒を含む、請求項１８に記載の供与体要素。
【請求項２３】
前記感熱溶媒が、約６０℃から約１２０℃の範囲の融点を有する、請求項１８に記載の供与体要素。
【請求項２４】
前記感熱溶媒が、約６５℃から約１００℃の範囲の融点を有する、請求項１８に記載の供与体要素。
【請求項２５】
前記感熱溶媒が、前記染料含有相中に前記染料の重量で約１：３から約３：１の量で存在する、請求項１８に記載の供与体要素。
【請求項２６】
前記感熱溶媒が、少なくとも約１２個の炭素原子を含むアルカノール、少なくとも約１２個の炭素原子を含むアルカンジオール、少なくとも約１２個の炭素原子を含むモノ−及びジカルボン酸のエステル及びアミド、アリールスルホンアミド並びにヒドロキシアルキル置換アレーンからなる群から選ばれる、請求項１８に記載の供与体要素。
【請求項２７】
前記感熱溶媒が、１，１０−デカンジオール；１，１２−ドデカンジオール；１，１２−ドデカン二酸、ビス（ジメチルアミド）；１，１４−テトラデカン二酸、ビス（ジメチルアミド）；１，１６−ヘキサデカン二酸、ビス（ジメチルアミド）；ｎ−ヘキサデカン−１−イルアセトアミド；ｎ−デカン−１−イル−４−メトキシベンズアミド；ｎ−デカン−１−イル−４−クロロベンズアミド；ｎ−（ドデカン−１−イル−アミノカルボニル）モルホリン；ドデカン−１−イル−ニコチンアミド；ｎ−デカン−１−イル−４−ニトロベンズアミド；カルバミン酸、１，４−ブタンジイル−ビス−ジエチルエステル；およびｎ−ドデシル−４−メトキシベンズアミドからなる群から選ばれる、請求項１８に記載の供与体要素。
【請求項２８】
可融性組成物であって、該可融性組成物は、非晶質染料含有相、および少なくとも一部分は非晶質染料含有相とは別の結晶相を形成する約５０℃超の融点を有する少なくとも１種類の感熱溶媒を含み、該感熱溶媒が、該染料含有相を液化させることができ、それにより該可融性組成物を、該液化が該感熱溶媒の存在なしで起こることが出来る温度より低い温度で液化させることが出来る、可融性組成物。
【請求項２９】
感熱物質転写画像化方法であって、該方法は、以下：
非染料成分に共有結合ではない結合をされる少なくとも１種類の染料を含む染料含有の非晶質相を含む感熱転写物質層を有する基材を含む供与体要素を加熱する工程であって、該染料が連続状フィルムを形成する、工程、および
該転写物質層の一部分を受容体層に画像様に転写する工程、
を包含する、方法。
【請求項３０】
前記染料及び前記非染料成分のうちの一方が複数の酸性基を含み、該染料及び該非染料成分の他方が複数の塩基性基を含む、請求項２９に記載の感熱画像化方法。
【請求項３１】
前記非染料成分が、１，３−ジ（４−ピリジル）プロパンである、請求項２９に記載の感熱画像化方法。
【請求項３２】
前記感熱転写物質層が更に約５０℃超の融点を有する少なくとも１種類の感熱溶媒を含み、前記感熱溶媒の少なくとも一部分は別の結晶相を形成し、そしてここで該結晶性感熱溶媒は、溶融時に、前記転写が該結晶性感熱溶媒の存在なしでもたらされ得る温度より低い温度で前記染料含有相中の前記染料を前記受容体層に転写させ得る、請求項２９に記載の感熱画像化方法。
【請求項３３】
前記感熱溶媒が、約６０℃から約１２０℃の範囲の融点を有する、請求項３２に記載の感熱画像化方法。
【請求項３４】
前記感熱溶媒が、前記染料含有相の中に前記染料の重量で約１：３から約３：１の量で存在する、請求項３２に記載の感熱画像化方法。
【請求項３５】
前記感熱転写物質層が、約２μｍ以下の厚さを有する、請求項２９に記載の感熱画像化方法。
【請求項３６】
感熱転写画像化の際に使用する供与体要素であって、該供与体要素が非染料成分に共有結合ではない結合をされる少なくとも１種類の染料を含む染料含有非晶質相を含む固形物感熱転写物質層を有する基材を含み、ここで該染料が連続状フィルムを形成する、供与体要素。
【請求項３７】
前記染料及び前記非染料成分のうちの一方が複数の酸性基を含み、前記染料及び前記非染料成分の他方が複数の塩基性基を含む、請求項３６に記載の供与体要素。
【請求項３８】
前記非染料成分が、１，３−ジ（４−ピリジル）プロパンである、請求項３６に記載の供与体要素。
【請求項３９】
請求項３６に記載の供与体要素であって、ここで前記感熱転写物質層が約５０℃超の融点を有する少なくとも１種類の感熱溶媒を更に含む、供与体要素。
【請求項４０】
前記感熱溶媒が、約６０℃から約１２０℃の範囲の融点を有する、請求項３９に記載の供与体要素。
【請求項４１】
前記感熱溶媒が、前記染料含有相中に前記染料の重量で約１：３から約３：１の量で存在する、請求項３９に記載の供与体要素。
【請求項４２】
前記感熱転写物質層が、約２μｍ以下の厚さを有する、請求項３６に記載の供与体要素。
【請求項４３】
感熱物質転写画像化方法であって、該方法は、以下：
少なくとも１種類の染料を含む染料含有の非晶質相を含む感熱転写物質層を有する基材を含む供与体要素を加熱する工程であって、該染料が連続状フィルムを形成し、そしてここで、該感熱転写物質層の中の約５重量％以下の物質が、該染料含有相の中の最大分子量の染料の分子量より大きい分子量を有する工程、および
該転写物質層の一部分を受容体層に画像様に転写する工程、
を包含する、方法。
【請求項４４】
前記感熱転写物質層が更に、約５０℃超の融点を有する少なくとも１種類の感熱溶媒を含み、該感熱溶媒の少なくとも一部分は別の結晶相を形成し、そしてここで該結晶性感熱溶媒は、溶融時に、前記転写が該結晶性感熱溶媒の存在なしでもたらされ得る温度より低い温度で前記染料含有相中の前記染料を前記受容体層に転写させ得る、請求項４３に記載の感熱画像化方法。
【請求項４５】
前記感熱溶媒が、約６０℃から約１２０℃の範囲の融点を有する、請求項４４に記載の感熱画像化方法。
【請求項４６】
前記感熱溶媒が、前記染料含有相の中に前記染料の重量で約１：３から約３：１の量で存在する、請求項４４に記載の感熱画像化方法。
【請求項４７】
前記感熱転写物質層が、約２μｍ以下の厚さを有する、請求項４３に記載の感熱画像化方法。
【請求項４８】
前記感熱転写物質層の中の約２重量％以下の物質が、前記染料含有相の中の最大分子量の染料の分子量より大きい分子量を有する、転写物質層の一部分を受容体層に画像様に転写する請求項４３に記載の感熱画像化方法。
【請求項４９】
前記感熱転写物質層の中の約１重量％以下の物質が、前記染料含有相の中の最大分子量の染料の分子量より大きい分子量を有する、転写物質層の一部分を受容体層に画像様に転写する請求項４３に記載の感熱画像化方法。
【請求項５０】
感熱転写画像化の際に使用する供与体要素であって、該供与体要素が少なくとも１種類の染料を含む染料含有非晶質相を含む固形物感熱転写物質層を有する基材を含み、ここで、前記感熱転写物質層の中の約５重量％以下の物質が、前記染料含有相の中の最大分子量の染料の分子量より大きい分子量を有する、供与体要素。
【請求項５１】
請求項５０に記載の供与体要素であって、ここで前記感熱転写物質層が約５０℃超の融点を有する少なくとも１種類の感熱溶媒を更に含む、供与体要素。
【請求項５２】
前記感熱溶媒が、約６０℃から約１２０℃の範囲の融点を有する、請求項５１に記載の供与体要素。
【請求項５３】
前記感熱転写物質層が、異なる融点を有する２種類の異なる感熱溶媒を含む、請求項５１に記載の供与体要素。
【請求項５４】
前記感熱溶媒が、前記染料含有相中に前記染料の重量で約１：３から約３：１の量で存在する、請求項５１に記載の供与体要素。
【請求項５５】
前記感熱転写物質層が、約２μｍ以下の厚さを有する、請求項５０に記載の供与体要素。